(57)【要約】【課題】簡便な構成により、収容される箸とともに容易に清潔さを保つことの可能は箸立てを提供する。【解決手段】筒状の基体２と、この基体に着脱可能に装着されるとともに箸Ａが抜き差し可能に差し込まれる箸保持部材３を備え、箸保持部材３が、可撓性を有する多孔質体によって構成されているとともに、箸が差し込まれる複数のスリットＳが形成されていることを特徴とする。【選択図】図３
0003228099.tif 000002
【実用新案登録請求の範囲】
【請求項１】
筒状の基体と、この基体に着脱可能に装着されるとともに箸が抜き差し可能に差し込まれる箸保持部材を備え、前記箸保持部材が、可撓性を有する多孔質体によって構成されているとともに、前記箸が差し込まれる複数のスリットが形成されていることを特徴とする箸立て。
【請求項２】
前記スリットが、前記箸保持部材の中央部から放射状に形成されていることを特徴とする請求項１に記載の箸立て。
【請求項３】
前記スリットが、前記箸保持部材の、前記箸の差し込み方向両端部において開放されていることを特徴とする請求項１または請求項２に記載の箸立て。
【請求項４】
前記スリットが、前記箸保持部材の側面において開放されていることを特徴とする請求項１または請求項２に記載の箸立て。
【考案の詳細な説明】
【技術分野】
【０００１】  本考案は、箸立てに係わり、特に、使用後の箸を簡便に洗浄することが可能な箸立てに関する。
【背景技術】
【０００２】  従来、食事の際に用いられる箸は、たとえば、特許文献１に示されるように、使用前においては有底筒状の箸立てに差して収納しておき、使用時に箸立てから取り出して食事に供し、使用後は、洗浄した後に箸立てに戻すことが一般的な使用方法である。【０００３】  ここで、使用後の箸はその都度洗浄して箸立てに戻すことにより清潔さが保たれる。
しかしながら、箸立ての洗浄頻度は箸の洗浄頻度に比して極めて低く、洗浄された箸を戻した際に、箸立てに付着した汚物によって箸が汚されてしまうことが想定される。【０００４】  このような不具合に対処すべく従来の技術では、箸立てに紫外線照射装置を組み込んで、箸立ておよび箸に紫外線を照射することによってこれらの滅菌や殺菌を行なうようにしている。
【先行技術文献】
【特許文献】
【０００５】
【特許文献１】登録実用新案第３１９０７８７号公報
【考案の概要】
【考案が解決しようとする課題】
【０００６】  しかしながら、前述した従来の技術では、紫外線照射素子やその駆動電源、および、制御ユニット等の、紫外線照射のための諸機器を組み込むことによる構造の複雑化やコスト高騰を招いてしまうことが想定される。【０００７】  本考案は、簡便な構成により、収容される箸とともに容易に清潔さを保つことの可能は箸立てを提供することを解決すべき課題とする。
【課題を解決するための手段】
【０００８】  本考案の箸立ては、前述した課題を解決するために、筒状の基体と、この基体に着脱可能に装着されるとともに箸が抜き差し可能に差し込まれる箸保持部材を備え、前記箸保持部材が、可撓性を有する多孔質体によって構成されているとともに、前記箸が差し込まれる複数のスリットが形成されていることを特徴としている。【０００９】  このような構成とすることにより、使用前において、箸は、その先端部分を箸保持部材のスリットに刺し、この箸保持部材とともに基体に挿入することによって箸立てに収納しておき、使用時に、箸を箸保持部材から引き抜いて使用する。【００１０】  使用後は、箸を、その先端部から箸保持部材のスリットに差し込んで箸立てに収納する。【００１１】  使用後の箸Ａを洗浄する際には、使用済みの箸を箸保持部材とともに基体から抜き取った後に、箸保持部材に洗剤や水を含ませる。【００１２】  ついで、箸保持部材を左右の手のひらで揉みほぐし、また、箸を箸保持部材に対して長さ方向に相対移動させる。【００１３】  この操作により、箸保持部材に染みこませた洗剤が泡立てられるとともに、箸保持部材が不規則に変形し、これによって、スリットの内面とこのスリットに挿入されている箸とが擦れあい、箸を洗剤洗浄することができる。【００１４】  そして、洗剤洗浄を終えた箸は、箸保持部材から引き抜いて水洗浄を行なった後に乾燥させて洗浄を終える。【００１５】  一方、箸を引き抜いた箸保持部材は、スリットを開きながら洗剤洗浄を行なってスリット内の汚れを落とし、ついで、全体を揉みほぐすことにより内部の汚れを除去し、さらに、水洗浄により洗剤を洗い流して乾燥させる。【００１６】  再度使用する際には、乾燥させた箸保持部材のスリットに箸を突き刺して、この箸とともに基体に挿入する。
これによって、箸が基体によって保持された状態で使用状態とすることができる。【００１７】  このように本考案の箸立てにおいては、使用前に箸が可撓性を有する箸保持部材のスリットに差し込んで保持することから、たとえば、箸先端を差し込んでおくことにより、この箸先端に箸保持部材を密着させて清潔性を保つことができる。【００１８】  また、使用後においては、箸を、箸保持部材とともに基体から取り出して箸保持部材とともに洗浄することにより、多数の箸をまとめて洗浄することができるとともに、箸のばらつきを抑えて箸の落下等を防止することができるので、洗浄を簡便なものとすることができる。【００１９】  前記スリットを、前記箸保持部材の中央部から放射状に形成することにより、箸を放射状に保持して、その取り出しや収納を容易にすることができる。【００２０】  また、前記スリットを、前記箸保持部材の、前記箸の差し込み方向両端部において開放させておくことにより、洗浄時における箸保持部材の内の洗剤や水の流れを箸保持部材の内部から両端部へ向かう流れとし、箸やスリット内に付着した汚れを容易に箸保持部材の外部へ排出することができる。【００２１】  さらに、前記スリットを、前記箸保持部材の側面において開放させておくことにより、洗浄時における洗剤や水および汚れを、箸保持部材の両端部に加えて側面からも排出して、よごれの排出作業、すなわち、洗浄作業を迅速に行なうことができる。
【考案の効果】
【００２２】  このように本考案の箸立てによれば、使用前において箸表面を保護して清潔性を確保し、使用後は箸をまとめて洗浄することができる。
【図面の簡単な説明】
【００２３】
【図１】本考案の一実施形態を示す分解斜視図である。
【図２】本考案の一実施形態を示すもので、組み立てた状態を示す斜視図である
【図３】本考案の一実施形態を示すもので、使用手順を示す斜視図である。
【図４】本考案の一実施形態を示すもので、使用手順を示す斜視図である。
【図５】本考案の一実施形態を示すもので、使用手順を示す斜視図である。
【図６】本考案の一実施形態を示すもので、使用手順を示す斜視図である。
【図７】本考案の一実施形態を示すもので、使用手順を示す斜視図である。
【図８】本考案の変形例を示す斜視図である。
【考案を実施するための形態】
【００２４】  以下、本考案の一実施形態について図面を参照して説明する。
これらの図において、符号１は本実施形態の箸立てを示す。
【００２５】  この箸立て１は、筒状（好適には有底）の基体２と、この基体２に着脱可能に装着されるとともに、後述する箸Ａが抜き差し可能に差し込まれる箸保持部材３を備え、箸保持部材３が、可撓性を有する多孔質体によって構成されているとともに、箸Ａが差し込まれる複数のスリットＳが形成されている。
【００２６】  前記箸保持部材３は、基体２の内径と同等か若千大きな外径の円柱状に形成されており、前記スリットＳは、箸保持部材３の中央部から放射状に形成されて、箸保持部材３の、箸Ａの差し込み方向両端部、および、側面において開放されている。
【００２７】  このような構成された箸立て１は、図１に矢印で示すように、箸保持部材３を基体２の開放部から挿入して、図２に示すように、収納することにより使用状態とする。
【００２８】  使用前において、箸Ａは、図３に矢印で示すように、その先端部分を基体２に挿入された箸保持部材３のスリットＳに刺し、使用時に、箸Ａを箸保持部材２から引き抜いて使用する。
【００２９】  使用後は、箸Ａを、図４に示すように、その先端部から箸保持部材３のスリットＳに差し込んで箸立て１に収納する。
【００３０】  使用後の箸Ａを洗浄する際には、図５に示すように、使用済みの箸Ａを箸保持部材３とともに基体２から抜き取った後に、箸保持部材に洗剤や水を含ませる。
【００３１】  ついで、箸保持部材３を、図６に矢印で示すように、左右の手のひらで揉みほぐし、また、図７に矢印で示すように、箸Ａを箸保持部材３に対して長さ方向に相対移動させる。
【００３２】  この操作により、箸保持部材３に染みこませた洗剤が泡立てられるとともに、箸保持部材３が不規則に変形し、これによって、スリットＳの内面とこのスリットＳに挿入されている箸Ａとが擦れあい、箸Ａを洗剤洗浄することができる。
【００３３】  そして、洗剤洗浄を終えた箸Ａは、箸保持部材３から引き抜いて水洗浄を行なった後に乾燥させて洗浄を終える。
【００３４】  一方、箸Ａを引き抜いた箸保持部材３は、スリットＳを開きながら洗剤洗浄を行なってスリットＳ内の汚れを落とし、ついで、全体を揉みほぐすことにより内部の汚れを除去し、さらに、水洗浄により洗剤を洗い流して乾燥させる。
【００３５】  再度使用する際には、乾燥させた箸保持部材３のスリットＳに箸Ａを突き刺して、この箸Ａとともに基体２に挿入する。
これによって、箸Ａが基体２によって指示された状態で使用状態に保持される。
【００３６】  このように本考案の箸立て１においては、使用前に箸Ａを、可撓性を有する箸保持部材３のスリットＳに差し込んで保持することから、たとえば、箸Ａ先端を差し込んでおくことにより、この箸Ａの先端に箸保持部材３を密着させて汚れの付着を防止して清潔性を保つことができる。
【００３７】  また、使用後においては、箸Ａを、箸保持部材３とともに基体２から取り出して箸保持部材３とともに洗浄することにより、多数の箸Ａをまとめて洗浄することができるとともに、箸Ａのばらつきを抑えて落下等を防止することができるので、洗浄を簡便なものとすることができる。
【００３８】  本実施形形態においては、前記スリットＳを、箸保持部材３の中央部から放射状に形成して、箸保持部材３の、箸Ａの差し込み方向両端部、および、箸保持部材３の外面において開放した構成としていることから、洗浄時における箸保持部材３の内の洗剤や水の流れを、箸保持部材３の内部から両端部および外周部へ向かう流れとすることができる。
【００３９】  これによって、箸やスリット内に付着した汚れを容易に箸保持部材の外部へ排出することができ、洗浄時における洗剤や水および汚れを、箸保持部材３の両端部に加えて側面からも排出して、よごれの排出作業、すなわち、洗浄作業を迅速に行なうことができる。
【００４０】なお、前記実施形態において示した各構成部材の諸形状や寸法、および、形成部位等は一例であって設計要求等に基づき種々変更可能である。
【００４１】  たとえば、図８に示すように、箸立て１の不使用時に、この箸立てが汚れることを防止するために、基体３の開放部を蓋体４によって覆うようにすることもできる。
【符号の説明】
【００４２】１  箸立て
２  基体
３  箸保持部材
４  蓋体
Ａ  箸
Ｓ  スリット
【図１】
0003228099.tif 000003
【図２】
0003228099.tif 000004
【図３】
0003228099.tif 000005
【図４】
0003228099.tif 000006
【図５】
0003228099.tif 000007
【図６】
0003228099.tif 000008
【図７】
0003228099.tif 000009
【図８】
0003228099.tif 000010